(57)【要約】【課題】製品の使い易さや設備の利用し易さを評価する場合は、被験者の行動を直接又はビデオ映像で観察しながら記録用紙等に記入して記録していたが手間がかかり、且つ正確に記録するには記録者が熟練している必要があった。また、記録データを利用するにも手間のかかる手作業を必要としていた。【解決手段】観察データ入力用の操作ボタンを含む記録画面を入力画面に従って必要な情報を入力することで記録者が作成する。そして、記録中は所定の観察項目（フタ開ける等）毎にその記録画面に従って観察データ（困った等）のボタンを押す。データは、観察データのボタンが押される毎に、その時刻とボタンの名称と観察項目を含むものとして作成される。【選択図】　　　　　　　図１７
2004062411.tif 000002
【特許請求の範囲】
【請求項１】
表示手段と、観察データ入力用の操作ボタンを含む記録画面を表示手段に表示させる表示制御手段と、操作ボタンの表示形態を設定する表示形態設定手段と、観察項目を入力する観察項目入力手段と、記録画面に従って観察データを入力する観察データ入力手段と、観察データの入力毎に入力時刻と観察データと観察項目を含む記録データを作成し、記録データファイルに書込む記録データ処理手段とを備えた観察履歴記録装置としてコンピュータを機能させるための観察履歴記録プログラム。
【請求項２】
請求項１に記載した観察履歴記録プログラムにおいて、更に、観察履歴記録装置として、観察属性データを入力する観察属性データ入力手段と、記録データファイルに記憶されたいずれかの観察データを選択する観察データ選択手段と、入力された観察属性データを選択した観察データとリンクさせて記録データファイルに書込む書込み制御手段とを備えたことを特徴とする観察履歴記録プログラム。
【請求項３】
請求項１または２に記載した観察履歴記録プログラムにおいて、表示制御手段は、透明な操作ボタンを画像に重ねて表示させるよう設定されていることを特徴とする観察履歴記録プログラム。
【発明の詳細な説明】
【０００１】
【発明の属する技術分野】
本発明は、被験者の行動等を観察して記録するのに利用する観察履歴記録装置を実現するのに利用する観察履歴記録プログラムに関するものである。
【０００２】
【従来の技術】
製品の使い易さや設備の利用し易さを評価する場合は、一般的には、被験者の行動を直接又はビデオ映像で観察しながら記録用紙等に記入して記録している。しかしながら、このような記録手法では手間がかかるので、被験者の行動を正確に且つ効率良く記録するには記録者にかなりの熟練を要する。また、記録した結果に基づいて最終的な評価書としてまとめるには、記録を見て必要なデータを抽出する等のデータの加工作業を人手で行わなければならず、非常に手間がかかる作業を余儀なくされている。
更に、ビデオ映像を編集してハイライトビデオを作成するような場合には、最初からもう一度ビデオ映像をみなければならず、非常な負担であった。一方、記録者に時刻データの記入まで求めるのは実際上無理である。
【０００３】
【発明が解決しようとする課題】
それ故、本発明は、記録者が熟練していなくとも、被験者の行動等を観察して正確且つ効率良く記録できる観察履歴記録装置を実現するのに使う観察履歴記録プログラムを提供することを目的とする。
また、本発明は、記録したデータを加工して所望の形態の報告書を容易に作成できる観察履歴記録装置を実現するのに使う観察履歴記録プログラムを提供することを目的とする。
【０００４】
【課題を解決するための手段】
請求項１の発明は、表示手段と、観察データ入力用の操作ボタンを含む記録画面を表示手段に表示させる表示制御手段と、操作ボタンの表示形態を設定する表示形態設定手段と、観察項目を入力する観察項目入力手段と、記録画面に従って観察データを入力する観察データ入力手段と、観察データの入力毎に入力時刻と観察データと観察項目を含む記録データを作成し、記録データファイルに書込む記録データ処理手段とを備えた観察履歴記録装置としてコンピュータを機能させるための観察履歴記録プログラムである。
【０００５】
請求項２の発明は、請求項１に記載した観察履歴記録プログラムにおいて、更に、観察履歴記録装置として、観察属性データを入力する観察属性入力手段と、記録データファイルに記憶されたいずれかの観察データを選択する観察データ選択手段と、入力された観察属性データを選択した観察データとリンクさせて記録データファイルに書込む書込み制御手段とを備えたことを特徴とする観察履歴記録プログラムである。
【０００６】
請求項３の発明は、請求項１または２に記載した観察履歴記録プログラムにおいて、表示制御手段は、透明な操作ボタンを画像に重ねて表示させるよう設定されていることを特徴とする観察履歴記録プログラムである。
【０００７】
【発明の実施の形態】
以下、本発明の実施の形態を図面に従って説明する。
図１は、観察履歴記録装置１のハードウエア構成を示す図である。因みに、観察履歴記録装置１は風呂の操作パネルの操作状況を観察し記録するためのものである。
この観察履歴記録装置１には、コンピュータ本体（タイマー付き）３と、記録媒体として一例のＣＤ−ＲＯＭ５と、インストール用のＣＤ−ＲＯＭドライブ７と、入力・選択手段が備えるマウス９と、入力・選択手段が備えるキーボード１１と、画像取込み手段が備える機器として一例のデジタルカメラ１３と、表示手段が備えるディスプレイ１５と、各種ファイルを記憶するハードディスク（ＨＤ）１７とを備える。
【０００８】
コンピュータ本体３には、中央演算処理装置としてのＣＰＵ１９を中心に、バスにより相互に接続された、ＣＤ−ＲＯＭドライブ７を制御するＣＤコントローラ２１と、マウス９とのやり取りを司るマウスインターフェイス２３と、キーボード１１からのキー入力を司るキーボードインターフェイス２５と、デジタルカメラ１３からの画像入力を司るＤＣインターフェイス２７と、ディスプレイ１５の表示を制御する表示コントローラ２９と、ハードディスク（ＨＤ）１７を制御するＨＤコントローラ３１と、内蔵されている各種プログラム等を記憶する読出し専用のメモリであるＲＯＭ３３と、各種データ等を記憶する読込み、書込み可能なメモリであるＲＡＭ３５とを有する。
【０００９】
基本入出力（Ｉ／Ｏ）プログラムはＲＯＭ３３に記憶されており、オペレーティングシステム（ＯＳ）はハードディスク１７に記憶されている。また、観察履歴記録プログラムはＣＤ−ＲＯＭ５に記憶されている。
観察履歴記録装置１は、この３つのプログラムをＣＰＵ１９が実行することにより動作する。コンピュータの電源をＯＮにすると、基本入出力（Ｉ／Ｏ）プログラム中の機能によりＯＳがＲＡＭ３５にロードされ、動作を開始する。また、ＣＤ−ＲＯＭ５をＣＤ−ＲＯＭドライブ７にセットし、インストールすると、ハードディスク１７に観察履歴記録プログラムが記憶され、所定の起動命令を受けたときにＲＡＭ３５にロードされ、ＯＳ上の実行プログラムとして実行される。
【００１０】
以上のハードウエア構成を備える観察履歴記録装置１の機能的構成を、図２に示す。
コンピュータ本体３は、被験者属性ファイル３７、タスクファイル３９、記録画面ファイル４１を読込み、入力画面をディスプレイ１５に表示させる表示制御手段としての入力画面出力手段４３と、マウス９やキーボード１１やデジタルカメラ１３の操作により入力されたデータをディスプレイ１５に表示させる表示制御手段としての入力データ表示手段４５と、入力されたデータを所定のファイルに書込む書込み制御手段４７とを備える。なお、ファイルには、上記した他に、記録データファイル４９と画像データファイル５０がある。
【００１１】
図３は、全体の処理の手順を概略的に説明した図である。
観察履歴記録プログラムのアプリケーションを起動させて処理を開始すると、図示しない表示制御手段の動作により、図４に示すメインメニューを列挙した初期画面をディスプレイ１５に表示させる。画面には、実験準備用に、「被験者属性入力」と、「タスク入力」と、「動作記録用ボタン作成」と、記録処理用に、「記録モード」の各操作ボタンが表示されている。以下、操作ボタンを略してボタンと記載する。
【００１２】
被験者属性入力処理を、図５に示すフローチャートに従って説明する。
「被験者属性入力」ボタンをマウスクリックにより押すと、図６に示す入力欄を含む被験者属性入力画面をディスプレイ１５に表示させる（ステップＳ１）。入力画面では、「属性項目入力／変更」のボタンが表示されており、このボタンをマウスクリックにより押すことにより属性項目の入力許可モードにし（ステップＳ２）、更に、入力欄にマウスカーソルを合わせてクリックすることによりキーボード入力可能な状態とした上で、適当な属性項目（氏名、性別、年齢、経験年数、職業、専門分野、家族構成、既・未婚）をキーボード操作により入力すると（ステップＳ３）、入力データ表示手段４５の動作により入力データをディスプレイ１５に表示させる。（ステップＳ４）。
【００１３】
ディスプレイ１５を見ながら、入力内容（数及び内容）がＯＫか否かを判断し（ステップＳ５）、ＮＯの場合はステップＳ３に戻って属性項目の入力（変更や削除を含む、以下同様）処理を続行する。一方、ＹＥＳの場合は「属性項目入力／変更」のボタンをマウスクリックにより押して、属性項目の入力不許可モード（即ち固定状態）にする（ステップＳ６）。なお、属性項目の追加や削除を含む変更は、後でも属性項目の入力許可モードにすることにより可能である。
【００１４】
次に、被験者を特定する番号を選択する（ステップＳ７）。マウスクリックにより被験者Ｎｏのプルダウンメニューを開くと被験者番号のリストボタンが表示されているので、いずれかのボタンをマウスクリックで押すことで選択できるが、最初は初期情報として「１」が表示される。
入力欄にマウスカーソルを合わせてクリックしてキーボード入力可能な状態とした上で、被験者毎にその属性項目に対応する属性をキーボード操作により入力すると（ステップＳ８）、入力データ表示手段４５の動作により図６の例に示すように入力データをディスプレイ１５に表示させる（ステップＳ９）。入力内容がＯＫか否かを判断して（ステップＳ１０）、ＮＯの場合はステップＳ８に戻ってその被験者の属性入力処理を続行する。
【００１５】
ＹＥＳの場合は別の被験者属性の入力を追加するか否かを判断して（ステップＳ１１）、ＹＥＳの場合はステップＳ７に戻って別の被験者属性の入力処理を続行する。ＮＯの場合は図７に示すように、ファイルメニューをマウスクリックにより押してプルダウンメニューを開き「名前を付けて保存」を選択して、書込み制御手段４７の動作により被験者属性ファイル３７の所定領域に書込む（ステップＳ１２）。なお、保存ファイル形式は、Ｃｓｖ形式で、図７に示すように保存される。
その後、ファイルメニューの「終了」をマウスクリックにより押すことで選択して、被験者属性入力処理を終了する。
【００１６】
タスク入力処理を、図８に示すフローチャートに従って説明する。
「タスク入力」ボタンをマウスクリックにより押すと、図９に示す入力欄を含むタスク入力画面をディスプレイ１５に表示させる（ステップＳ１３）。
次に、タスク番号を選択する（ステップＳ１４）。ｔａｓｋ１、ｔａｓｋ２、‥‥のいずれかのボタンをマウスクリックで押すことで選択できるが、最初は初期情報として「ｔａｓｋ１」が表示される。
【００１７】
入力欄にマウスカーソルを合わせてクリックすることによりキーボード入力可能な状態とした上で、順次、適当なタスクとサブタスク、更には、予想される失敗項目や評価項目をキーボード操作により入力すると（ステップＳ１５）、入力データ表示手段４５の動作により図９の例に示すように、入力データを逐次ディスプレイ１５に表示させる（ステップＳ１６）。例えば、タスク１に「湯をはる」、サブタスク１に「フタ開ける」、サブタスク２に「電源ＯＮ」、サブタスク３に「自動ＯＮ」をそれぞれ入力する。予想される失敗項目や評価項目に、例えば、「フタがあけられない」、「電源ボタンが見つからない」などをそれぞれ入力する。なお、予想される失敗項目や評価項目の入力欄に入力した文字は記録画面上ではボタンの名称となる。
【００１８】
ディスプレイ１５を見ながら、タスク１の入力内容をＯＫか否かを判断し（ステップＳ１７）、ＮＯの場合はステップＳ１５に戻って入力処理を続行する。一方、ＹＥＳの場合はタスクの項目を追加するか否かを判断し（ステップＳ１８）、ＹＥＳの場合はステップＳ１４に戻り、「ｔａｓｋ２」をマウスクリックにより選択し、入力処理を続行する。一方、ＮＯの場合は、図１０に示すように、ファイルメニューをマウスクリックにより押してプルダウンメニューを開き「名前を付けて保存」を選択して、書込み制御手段４７の動作によりタスクファイルの所定領域に書込む（ステップＳ１９）。
なお、保存ファイル形式は、Ｃｓｖ形式で、図１０に示すように保存される。その後、ファイルメニューの「終了」をマウスクリックにより押すことで選択して、タスク入力処理を終了する。
【００１９】
動作記録用ボタン作成処理を、図１１に示すフローチャートに従って説明する。「動作記録用ボタン作成」ボタンをマウスクリックにより押すと、入力画面出力手段４３が記録画面ファイル４１とタスクファイル３９を読込み、図１２に示す設定画面をディスプレイ１５に表示させる（ステップＳ２０）。記録画面はタスク毎に設定するので、タスク１用のものが初期画面として表示されている。なお、記録画面のレイアウト設定の参考用に、記録画面で表示される「チェック開始」等のボタンやタスクの内容が同じ位置に表示されている。この画面では、下方の「動作記録パネル」と記載された領域のみが設定可能になっている。
【００２０】
背景画像を貼付けるか否かを判断して（ステップＳ２１）、ＹＥＳの場合は「画像貼付け」のボタンをマウスクリックにより押して画像貼付けモードにする。そして、貼付けエリアの位置及び大きさをマウスドラックにより設定し、右クリックによりデジタルカメラ１３から予め取込まれた画像データファイル５０に保存された画像の名称リストを記載したポップアップメニューを開き、所定の名称のボタンをマウスクリックで押すことにより選択すると、画像が設定したエリアに図１３に示すように変倍して貼付ける（ステップＳ２２）。
【００２１】
続いて、「新規ボタン作成」のボタンをマウスクリックにより押してボタン作成モードにして（ステップＳ２３）、ボタン配置（位置、大きさ）をマウスドラックにより設定する（ステップＳ２４）。そして、マウスの右クリックによりボタン属性の記載したポップアップメニューを開き、マウスとキーボード操作により、ボタン名称、ボタン色をそれぞれ入力又は選択する（ステップＳ２５、ステップＳ２６）。更に、状態変化設定をするか否かを判断して（ステップＳ２７）、ＹＥＳの場合は状態変化「有り」のボタンをマウスクリックにより押すことで選択し、更に、「リンク先」の右側入力欄にマウスカーソルを合わせて入力可能な状態とした上でキーボード操作により遷移先の動作記録パネルの名称を入力する（ステップＳ２８）。
【００２２】
更に、補助属性を設定するか否かを判断して（ステップＳ２９）、ＹＥＳの場合は補助属性「有り」をマウスクリックにより選択し、更に「補助属性」の右側入力欄にマウスカーソルを合わせて入力可能な状態とした上でキーボード操作により補助属性を入力する（ステップＳ３０）。
補助属性とは、属性「困った」という行動に対する意味付けをするものであり、例えば「軽微」や「非常に」と言ったものが挙げられる。図１４は、ボタン属性メニュー（ポップアップメニュー）で入力内容とその内容に従って入力データ作成手段４５の動作により表示させたボタンを示す（ステップＳ３１）。
ボタンの作成については、有色の他に、背景画像の操作パネルのフタを開けるときに手が触れる部分上等に透明なボタン（図１３中の点線で示す）を重ねて作成し、そのボタンの属性を状態変化有りに設定することで、背景画像を含む動作記録パネルの画面間のリンクを設定する。
【００２３】
設定後、「ＯＫ」のボタンをマウスクリックにより押すと、入力データ出力手段４５の動作により記録画面の設定内容を表示させる（ステップＳ３１）。それを見てＯＫか否かを判断し（ステップＳ３２）、ＮＯの場合は変更する内容に従って、画像貼付け又はボタン属性設定の各ステップに戻って設定処理を続行する。ＹＥＳの場合は、図１２に示すように、ファイルメニューをマウスクリックにより押してプルダウンメニューを開き「名前を付けて保存」を選択し、書込み制御手段４７の動作によりタスク１の「動作記録パネル」のデータとして記録画面ファイルの所定領域に書込む（ステップＳ３３）。
【００２４】
続けて、タスク１用に別個の新規パネルを作成するか否か、即ち画面を追加するか否かを判断する（ステップＳ３４）。既に、状態変化有り、即ち画面遷移を設定した場合には、少なくとも遷移先の画面を作成しなければならない。また、例えば、図１５に示すような、背景画像が貼り付けていないものを作成してもよい。なお、動作記録パネルには、ボタン機能を持たない文字画像も、設定ツールの「文字」のボタンをマウスクリックにより押すと、書込むことができる。図１５中の「動作」や「被験者の状況」はボタン機能を持たない単なる文字画像である。
【００２５】
ＹＥＳの場合は、「新規パネル作成」のボタンをマウスクリックにより押して新規パネルの作成モードにした後（ステップＳ３５）、ステップＳ２０に戻って設定処理を続行する。
その後、ファイルメニューの「終了」をマウスクリックにより押すことで選択して、動作記録用ボタン作成処理を終了する。
動作記録用ボタン作成処理において、ボタンの表示形態設定手段は入力画面出力手段４３と、入力データ表示手段４５と、書込み制御手段４７と、マウス９等の入力・選択手段と、各種ファイル３７によって構成されている。
【００２６】
上記の実験準備処理が全て終了すると、被験者による風呂の操作パネルの操作状況を観察・記録する観察記録履歴装置１が作成される。
以下に、作成された観察記録履歴装置１を使用した観察記録方法の実施手順を、図１６に示すフローチャートに従って説明する。
なお、この実施の形態では、被験者の行動を予め撮影してあり、記録者がビデオ映像を見ながら被験者の行動を観察して記録する。
【００２７】
図３に示すメニュー画面に表示された「記録モード」のボタンをマウスクリックにより押すと、入力画面出力手段４３の動作により記録画面ファイル４１とタスクファイル３９を読込み、初期画面として図１７に示すタスク１の記録画面を表示する（ステップＳ３６）。なお、記録画面としてリンク関係のない２以上の画面を設定した場合には、初期画面としていずれかの画面が表示され、記録パネルの枠内には設定した記録画面のボタンが表示されており、ボタンをマウスクリックにより押すことで記録画面を変更できる。
【００２８】
記録画面には、タスク１とサブタスク１〜３の内容や、各種操作ボタン等が表示されているが、その内、「大」、「中」、「小」は予想される失敗項目や評価項目の下に表示された各種操作ボタンの属性に相当する観察属性データの表示制御手段としてのボタンであり、「質問」、「迷い」、「イライラ」が「発話」の属性ボタンの補助属性に相当する観察属性データの表示制御手段としての補助属性ボタンであり、「軽微」、「非常に」が「困った」の補助属性に相当する観察属性データの表示制御手段としてのボタンである。それ以外は全て観察データの表示制御手段としてのボタンである。記録は、入力手段としての各種ボタンをマウスクリックにより押したり、キーボード入力することにより行う。
【００２９】
被験者の右側にある被験者番号の入力欄にマウスカーソルを合わせてクリックすると、入力画面出力手段４３が被験者属性ファイル３７を読込み、被験者の番号リストを表示させるので、マウスクリックにより被験者番号を選択すると、入力データ表示手段４５が被験者の番号と氏名を表示させる（ステップＳ３７）。
次に、「時刻合わせ」のボタンの右側にある入力欄にビデオのデータと同期させるために同じ時刻を入力し表示させて、「時刻合わせ」のボタンを押して時刻合わせする（ステップＳ３８）。
【００３０】
次にタスクとサブタスクを選択し表示させる（ステップＳ３９、ステップＳ３４０）。タスクの選択はｔａｓｋ１等の名称のボタンをマウスクリックにより押し、サブタスクの選択は、「フタ開ける」等の名称のボタンをマウスクリックにより押すことにより行う。なお、サブタスクは選択されると別の色表示に変化する。ここでのタスクやサブタスクの選択手段は観察項目の入力手段に相当する。
【００３１】
その後、選択したサブタスクに関する実験動作記録モードに入る（ステップＳ４１）。図１８は、実験動作記録の操作手順を示すフローチャートである。
先ず、チェック開始のボタンをマウスクリックにより押して記録を開始し、選択したサブタスクに対する被験者の行動を観察しながら、観察データのボタンをマウスクリックにより押すと（ステップＳ１０１）、入力データ表示手段４５の動作によりその入力時刻及びボタン名称と、更にそのボタンがどのタスクモードにあるときに押されたかを特定するためのサブタスク名称とタスク名称に関するデータを作成し、記録内容の欄に１行の枠内で表示させる（ステップＳ１０２）。なお、各行はボタンになっている。記録内容に不備がある場合には、記録内容の欄のボタンをマウスクリックにより押して選択し更に下の消去ボタンをマウスクリックにより押すか、或いは全消去ボタンをマウスクリックにより押してデータを消去する。
【００３２】
補助属性が有るか否かを判断し（ステップＳ１０３）、ＹＥＳの場合は対応する記録内容の欄の観察データの名称のボタンをマウスクリックにより押して選択し（ステップＳ１０４）、その後に、観察属性データのボタンをマウスクリックにより押して選択することにより（ステップＳ１０５）、観察属性データを観察データにリンクさせる。
メモ入力するか否かを判断し（ステップＳ１０６）、ＹＥＳの場合は対応する記録内容の欄の観察データの名称のボタンをマウスクリックにより押して選択し（ステップＳ１０７）、その後に、「メモ入力」の左側にある入力欄にマウスカーソルを合わせてキーボード入力可能な状態にした上でメモをキーボード入力することにより（ステップＳ１０８）、メモの内容を観察データにリンクさせる。
【００３３】
１つのサブタスクが終了したか否かを判断し（ステップＳ４２）、ＮＯの場合はステップ４１に戻って記録処理を続行し、ＹＥＳの場合はサブタスクの終了状況を記録する（ステップＳ４３）。具体的には、「達成」、「アシスト達成」又は「断念」のいずれかのボタンをマウスクリックにより押す。
更に、１つのタスク中の全てのサブタスクの記録処理を終了したか否か、即ち１つのタスクの記録処理を終了したか否かを判断し（ステップＳ４４）、ＮＯの場合は、ステップＳ４０に戻って別のサブタスクの記録処理を続行する。
一方、ＹＥＳの場合は、全てのタスク（タスク１、２‥‥）の記録処理を終了したか否かを判断し（ステップＳ４５）、ＮＯの場合は、ステップＳ３９に戻って記録処理を続行する。
【００３４】
ＹＥＳの場合は、ファイルメニューをマウスクリックにより押してプルダウンメニューを開き「名前を付けて保存」を選択すると、書込み制御手段４７の動作により記録データファイルの所定領域に書込む（ステップＳ４６）。データの保存形式はＣｓｖである。
記憶された記録データファイルに基づいて、図１９に示すようなデータ表を出力できる。この表では、フラッグの欄に観察データが、優先順位の欄に観察属性データが、メモの欄にコメントが表示されている。ファイルメニューの「終了」をマウスクリックにより押すことで選択して、記録処理を終了する。
【００３５】
なお、記録データは、ＤＶＤ制御ソフトに提供できるデータ形式で出力可能なものであり、ＤＶＤレコーダを用いて画像記録しておき、ＤＶＤ制御ソフトで画像を制御すれば、観察項目の内容がインデックスとして取り込まれるので、見たい映像を直ぐ再生することができる。また、予想される発話の内容、例えば「困った」をボタン化しておけば、映像に簡単に発話の内容をスーパーインポーズしたり、ハイライトビデオを作成することができる。
上記の記録処理において、記録データ処理手段は入力画面出力手段４３と、入力データ表示手段４５と、書込み制御手段４７と、マウス９等の入力・選択手段と、各種ファイル３７によって構成されている。
【００３６】
この記録データファイルに基づいて、図２０のように、量的データを作成して、タスク毎の所要時間、達成度等を数値で評価したり、図２１のように、質的データを作成して、行動過程鳥瞰図法による行動分析により、風呂の操作パネルの設計者が予想した行動軌跡と、被験者の実際の行動軌跡を比較したりすることができる。
【００３７】
以上、本発明の実施の形態について説明したが、本発明の範囲は記載した実施の形態の範囲に限定されず、本発明の要旨を変更しない範囲での変更は本発明の範囲に含まれる。
例えば、プログラムを市販のブラウザ上で動作が実行されるように設定してもよい。動作記録用ボタン作成処理は、記録画面ファイル４１とタスク画面ファイル３９を読み込まないで行うことも可能である。
【００３８】
メモ入力は、観察データとリンクしない形式で入力できるように設定してもよい。
実験準備の操作手順は、被験者属性入力処理を動作記録用ボタン作成処理の後に行うことも可能である。
記録処理において、補助属性の対応する項目はマウスクリックにより選択していたが、選択手段を設けずに、補助属性が入力されるとその直前の項目に対応させるようにしてもよい。
データは、Ｃｓｖ形式に限定されず、種々の形式で保存できる。
【００３９】
記録対象は機器の操作に限定されず、あらゆるものを記録対象とできる。例えば、スーパーマーケット内や自宅での行動、更には、行動に限されず、物の経時的変化等も記録の対象となろう。更に、外部からのアナログ信号を入力して、記録データファイルに書込むように構成すれば、筋電図などの測定結果と連携することができる。
【００４０】
【発明の効果】
本発明の観察履歴記録プログラムをコンピュータにインストールすることにより実現した観察履歴記録装置によれば、上記のように、記録中に予想される操作を所望のレイアウトでボタン化できるので、記録者が記録し易くなる。
記録装置を簡単に作成することができ、しかも、記録データは種々の形式でデータファイルとして保存できるので所望の形態で加工して評価書を作成することができる。
特に、観察対象をビデオ撮影していた場合には観察データに含まれる時間情報に基づいて簡単にハイライトビデオを作成できる。
【図面の簡単な説明】
【図１】実施の形態に係る観察履歴記録装置のハードウエア構成を示す図である。
【図２】図１の観察履歴記録装置１の機能的構成を示す図である。
【図３】全体の処理の手順を概略的に説明した図である。
【図４】初期画面を示す。
【図５】被験者属性入力処理を示すフローチャートである。
【図６】被験者属性入力画面を示す。
【図７】被験者属性データの保存方法を説明する図である。
【図８】タスク入力処理を示すフローチャートである。
【図９】タスク入力画面を示す。
【図１０】タスクファイルの保存方法を説明する図である。
【図１１】動作記録用ボタン作成処理を示すフローチャートである。
【図１２】設定画面を示す。
【図１３】背景画像の動作記録パネルへの貼付け状態を示す。
【図１４】ボタン属性メニューとメニューに従って作成されたボタンを示す。
【図１５】別の動作記録パネルを示す例である。
【図１６】観察記録方法の実施手順を示すフローチャートである。
【図１７】記録画面を示す。
【図１８】実験動作記録の操作手順を示すフローチャートである。
【図１９】記録データファイルに基づいて作成されたデータ表を示す。
【図２０】記録データファイルに基づいて作成された量的データ表を示す。
【図２１】記録データファイルに基づいて作成された質的データ表を示す。
【符号の説明】
１　　　観察履歴記録装置
３　　　コンピュータ本体
５　　　ＣＤ−ＲＯＭ
７　　　ＣＤ−ＲＯＭドライブ
９　　　マウス
１１　　　キーボード
１３　　　デジタルカメラ
１５　　　ディスプレイ
１７　　　ハードディスク
１９　　　ＣＰＵ
２１　　　ＣＤコントローラ
２３　　　マウスインターフェイス
２５　　　キーボードインターフェイス
２７　　　ＤＣインターフェイス
２９　　　表示コントローラ
３１　　　ＨＤコントローラ
３３　　　ＲＯＭ
３５　　　ＲＡＭ
３７　　　被験者属性ファイル
３９　　　タスクファイル
４１　　　記録画面ファイル
４３　　　入力画面出力手段
４５　　　入力データ表示手段
４７　　　書込み制御手段
４９　　　記録データファイル
５０　　　画像データファイル
【図１】
2004062411.tif 000003
【図２】
2004062411.tif 000004
【図３】
2004062411.tif 000005
【図４】
2004062411.tif 000006
【図５】
2004062411.tif 000007
【図６】
2004062411.tif 000008
【図７】
2004062411.tif 000009
【図８】
2004062411.tif 000010
【図９】
2004062411.tif 000011
【図１０】
2004062411.tif 000012
【図１１】
2004062411.tif 000013
【図１２】
2004062411.tif 000014
【図１３】
2004062411.tif 000015
【図１４】
2004062411.tif 000016
【図１５】
2004062411.tif 000017
【図１６】
2004062411.tif 000018
【図１７】
2004062411.tif 000019
【図１８】
2004062411.tif 000020
【図１９】
2004062411.tif 000021
【図２０】
2004062411.tif 000022
【図２１】
2004062411.tif 000023